(57)【要約】【課題】搬送ガスの供給源であるブロワーをトリップさせずに微粉捕集バッグで捕集した残留微粉を除去し、連続運転を可能にする微粉捕集用バッグフィルターを提供すること。【解決手段】残留微粉捕集後ガス収容部に縦方向の仕切りを設けて残留微粉捕集後ガス収容部を分割し、分割した残留微粉捕集後ガス収容部毎に、排気弁を有する前記残留微粉捕集後ガス排気部を設ける。残留微粉捕集後ガス収容部の仕切りを延長する仕切りを、少なくとも微粉捕集バッグの底部の高さまで設けて残留微粉捕集部を分割する。排気弁を自動制御弁とし、捕集した残留微粉の除去時間を設定できるようにする。【選択図】図１
2015093233.tif 000002
【特許請求の範囲】
【請求項１】
搬送ガス供給部と微粉処理部との間で搬送ガスを循環させる微粉処理部への微粉搬送で、搬送後ガスから残留微粉を捕集するために、搬送後ガス導入部と、微粉捕集バッグを有する残留微粉捕集部と、残留微粉捕集後ガス収容部と、残留微粉捕集後ガス排気部と、捕集した残留微粉除去部と、除去した残留微粉排出部からなる微粉捕集用バッグフィルターにおいて、残留微粉捕集後ガス収容部に縦方向の仕切りを設けて残留微粉捕集後ガス収容部を分割し、分割した残留微粉捕集後ガス収容部毎に、排気弁を有する前記残留微粉捕集後ガス排気部を設けたことを特徴とする、微粉捕集用バッグフィルター。
【請求項２】
残留微粉捕集後ガス収容部の仕切りを延長する仕切りを、少なくとも微粉捕集バッグの底部の高さまで設けて残留微粉捕集部を分割したことを特徴とする、請求項１記載の微粉捕集用バッグフィルター。
【請求項３】
排気弁を自動制御弁とし、捕集した残留微粉の除去時間を設定できることを特徴とする、請求項１または２に記載の微粉捕集用バッグフィルター。
【発明の詳細な説明】
【技術分野】
【０００１】
本発明は、搬送ガスの供給源であるブロワーをトリップさせずに微粉捕集バッグで捕集した残留微粉を除去し、連続運転を可能にする微粉捕集用バッグフィルターに関するものである。
【背景技術】
【０００２】
従来、搬送ガスにより微粉を微粉処理部へ搬送するにあたり、搬送ガス供給部と微粉処理部との間で搬送ガスを循環させる技術がある。
【０００３】
この技術では、微粉を微粉処理部へ搬送した後の搬送後ガスを搬送ガス供給部へ戻すための搬送後ガス戻りラインに、搬送後ガス中の残留微粉を捕集するために、微粉捕集バッグを中心に構成される微粉捕集用バッグフィルターが設けられている。
【０００４】
微粉捕集バッグで捕集した残留微粉は、微粉捕集用バッグフィルターの底部に沈降するように、微粉捕集バッグにパルスジェットで衝撃を与えて除去される。
【０００５】
しかし捕集した残留微粉は微粉捕集用バッグフィルター底部に沈降することなく浮遊して再び微粉捕集バッグに付着して微粉捕集バッグの目詰まりを起こす。そのため搬送ガスの供給源であるブロワーは吐出圧力が高くなると共に発熱し、動力アップを起こしてトリップする。
【０００６】
搬送ガスの供給源であるブロワーがトリップする前に手動で止めて、搬送ガスの流れのない状態でパルスジェットにより微粉捕集バッグで捕集した残留微粉を除去すれば、除去した残留微粉は微粉捕集バッグに再付着することなく微粉捕集用バッグフィルター底部に沈降する。よって、搬送ガスの供給源であるブロワーは条件が揃い再起動する。
【０００７】
従来の微粉捕集用バッグフィルターには、所定のバッグフィルター室数を１室増設し、それらの中の１室の微粉捕集バッグの濾布の圧損が予め定めた基準値を越した場合にその１室を停止し、当該室をダスト払い落とししてこの微粉捕集バッグの濾布の圧損が予め定めた規定値以下になったときに再運転し、それを他の室に於いても順次繰り返し、微粉捕集バッグの圧損を低減することを特徴とするものもある（例えば、特許文献１参照）。
【０００８】
また、遠心力を効かせた１または２段のサイクロンを通して残留微粉を少なくしてから微粉捕集用バッグフィルターに掛ける場合もある。しかしサイクロンで捕集できる残留微粉にも限界があり、結果として前述のように捕集した残留微粉は浮遊して再び微粉捕集バッグに付着して微粉捕集バッグの目詰まりを起こすことがある。この場合も搬送ガスの供給源であるブロワーは吐出圧力が高くなると共に発熱し、動力アップを起こしてトリップする。
【先行技術文献】
【特許文献】
【０００９】
【特許文献１】特開平６−１２６１１６号公報
【発明の概要】
【発明が解決しようとする課題】
【００１０】
前述のような従来の微粉捕集用バッグフィルターは以下の課題を有する。
【００１１】
パルスジェットにより微粉捕集バッグで捕集した残留微粉を除去しても、捕集した残留微粉は微粉捕集用バッグフィルター底部に沈降することなく浮遊して再び微粉捕集バッグに付着して微粉捕集バッグの目詰まりを起こす。そのため搬送ガスの供給源であるブロワーは吐出圧力が高くなると共に発熱し、動力アップを起こしてトリップする。
【００１２】
以上から、搬送ガスの供給源であるブロワーをトリップさせずに微粉捕集バッグで捕集した残留微粉を除去し、連続運転を可能にする微粉捕集用バッグフィルターを提供することが課題である。
【課題を解決するための手段】
【００１３】
前述の課題を解決するために、本発明に係る微粉捕集用バッグフィルターは以下の手段を有する。
【００１４】
第１の手段として、搬送ガス供給部と微粉処理部との間で搬送ガスを循環させる微粉処理部への微粉搬送で、搬送後ガスから残留微粉を捕集するために、搬送後ガス導入部と、微粉捕集バッグを有する残留微粉捕集部と、残留微粉捕集後ガス収容部と、残留微粉捕集後ガス排気部と、捕集した残留微粉除去部と、除去した残留微粉排出部からなる微粉捕集用バッグフィルターにおいて、残留微粉捕集後ガス収容部に縦方向の仕切りを設けて残留微粉捕集後ガス収容部を分割し、分割した残留微粉捕集後ガス収容部毎に、排気弁を有する前記残留微粉捕集後ガス排気部を設けたことを特徴とする。
【００１５】
第２の手段として、残留微粉捕集後ガス収容部の仕切りを延長する仕切りを、少なくとも微粉捕集バッグの底部の高さまで設けて残留微粉捕集部を分割したことを特徴とする。
【００１６】
第３の手段として、排気弁を自動制御弁とし、捕集した残留微粉の除去時間を設定できることを特徴とする。
【発明の効果】
【００１７】
本発明の請求項１に係る微粉捕集用バッグフィルターは、残留微粉捕集後ガス収容部に縦方向の仕切りを設けて残留微粉捕集後ガス収容部を分割し、分割した残留微粉捕集後ガス収容部毎に、排気弁を有する残留微粉捕集後ガス排気部を設けたことを特徴としている。
【００１８】
そのため排気弁を閉じることで、閉じた排気弁を有する残留微粉捕集後ガス排気部を設けた残留微粉捕集後ガス収容部を、残留微粉を捕集した残留微粉捕集後ガスの流れのない状態に、その下の微粉捕集バッグ周辺を、残留微粉を含んだ搬送後ガスの流れのない状態にできる。
【００１９】
排気弁を閉じていない残留微粉捕集後ガス収容部の下にある微粉捕集バッグは、残留微粉を含んだ搬送後ガスの流れがあるため残留微粉を捕集し、一方、排気弁を閉じた残留微粉捕集後ガス収容部の下にある微粉捕集バッグは、残留微粉を含んだ搬送後ガスの流れがないため捕集した残留微粉を、パルスジェットにより除去できる。
【００２０】
以上から、排気弁を閉じる残留微粉捕集後ガス収容部を順次変更することで、ブロワーをトリップさせずに微粉捕集バッグで捕集した残留微粉を除去し、微粉捕集用バッグフィルターの連続運転が可能になる。
【００２１】
本発明の請求項２に係る微粉捕集用バッグフィルターは、請求項１に係る微粉捕集用バッグフィルターに、残留微粉捕集後ガス収容部の仕切りを延長する仕切りを、少なくとも微粉捕集バッグの底部の高さまで設けて残留微粉捕集部を分割したことを特徴としている。
【００２２】
前述のように請求項１に係る微粉捕集用バッグフィルターは、排気弁を閉じた残留微粉捕集後ガス収容部の下にある微粉捕集バッグが捕集した残留微粉をパルスジェットにより除去できる。しかし除去した残留微粉は、搬送後ガスの流れがある排気弁を閉じていない残留微粉捕集後ガス収容部の下にある微粉捕集バッグに、浮遊して微量ながら付着することがある。
【００２３】
これを解決するために請求項２に係る微粉捕集用バッグフィルターは、残留微粉捕集部に設けた仕切りにより、除去した残留微粉が、排気弁を閉じていない残留微粉捕集後ガス収容部の下にある微粉捕集バッグに付着することを防止できる。
【００２４】
よって請求項１に係る微粉捕集用バッグフィルターよりも、ブロワーをトリップさせずに連続運転が可能になる。
【００２５】
なお請求項１に係る微粉補集用バッグフィルターは、排気弁を閉じていない残留微粉捕集後ガス収容部の下にある微粉捕集バッグに、除去した残留微粉が浮遊して微量ながら付着すると前述したが、これは請求項１に係る微粉補集用バッグフィルターが請求項２に係る微粉補集用バッグフィルターより劣ることを意味するものではない。
請求項１に係る微粉捕集用バッグフィルターは、請求項２に係る微粉捕集用バッグフィルターと比べて残留微粉捕集後ガス収容部の仕切りを延長する仕切りがないため、簡単な構成であるという効果を有している。
【００２６】
本発明の請求項３に係る微粉捕集用バッグフィルターは、請求項１または２に係る微粉捕集用バッグフィルターの排気弁を自動制御弁とし、捕集した残留微粉の除去時間を設定できることを特徴としている。
【００２７】
そのため残留微粉捕集部毎に、微粉捕集バッグの本数や捕集した残留微粉の量等に応じた除去時間を設定できる。かつ残留微粉の除去を確実に行うために除去時間を長めに設定したり、微粉捕集用バッグフィルターの稼働率を上げるために除去時間を短めに設定することもできる。これらの設定した除去時間に応じて自動で排気弁を開閉することができる。
【００２８】
よって請求項１または２に係る微粉捕集用バッグフィルターよりも、よりブロワーをトリップさせない連続運転及び稼働率を向上させた連続運転が可能になる。
【００２９】
以上から、搬送ガスの供給源であるブロワーをトリップさせずに微粉捕集バッグで捕集した残留微粉を除去し、連続運転を可能にする微粉捕集用バッグフィルターを提供することができる。かつ稼働率を向上させた連続運転が可能な微粉捕集用バッグフィルターを提供することができる。
【図面の簡単な説明】
【００３０】
【図１】本発明の請求項１に係る微粉捕集用バッグフィルターの断面図を含む微粉搬送の系統図である。
【図２】本発明の請求項１に係る微粉捕集用バッグフィルターの平面図である。
【図３】本発明の請求項２に係る微粉捕集用バッグフィルターの断面図である。
【図４】本発明の請求項２に係る微粉捕集用バッグフィルターの平面図である。
【図５】本発明の請求項３に係る微粉捕集用バッグフィルターの断面図である。
【図６】本発明の請求項３に係る微粉捕集用バッグフィルターの別の実施形態の断面図である。
【図７】本発明の請求項３に係る微粉捕集用バッグフィルターの平面図である。
【図８】比較例における微粉捕集用バッグフィルターの断面図を含む微粉搬送の系統図である。
【図９】比較例における微粉捕集用バッグフィルターの平面図である。
【発明を実施するための形態】
【００３１】
以下、本発明に係る微粉捕集用バッグフィルターの実施形態を図１〜７を用いて説明する。
【００３２】
尚、本記載は特許請求の範囲を示した例であり、特許請求の範囲を本記載に限定することを意味するものではない。
【００３３】
最初に、本発明に係る微粉捕集用バッグフィルターとの比較のために、比較例を図８及び９を用いて説明する。
【００３４】
図８は比較例における微粉捕集用バッグフィルターの断面図を含む微粉搬送の系統図である。
【００３５】
微粉投入部２から投入された投入微粉３１は、搬送ガス供給部１から供給された搬送ガス２１により、微粉の処理を行う微粉処理部３へ搬送される。
【００３６】
搬送ガス供給部１は搬送ガス供給口１Ａと搬送ガスの供給源であるブロワー１Ｂから構成され、搬送ガス２１はブロワー１Ｂにより搬送ガス供給ライン１１に供給される。搬送ガス供給ライン１１はブロワー１Ｂから微粉処理部３までのラインであり、搬送ガス供給ライン上流１１Ａ、搬送ガス供給ライン中流１１Ｂ及び搬送ガス供給ライン下流１１Ｃから構成される。
【００３７】
搬送ガス供給ライン上流１１Ａは、ブロワー１Ｂから微粉投入部２までのラインである。
【００３８】
搬送ガス供給ライン中流１１Ｂは、微粉投入部２から、後述の微粉捕集用バッグフィルター１０１を構成する除去した残留微粉排出部１０７からのライン（符号なし）との合流点までのラインである。
【００３９】
搬送ガス供給ライン下流１１Ｃは、前述の合流点から微粉処理部３までのラインである。
【００４０】
このように投入微粉３１は、搬送ガス２１及び搬送ガス供給ライン１１により微粉処理部３へ搬送される。
【００４１】
投入微粉３１を微粉処理部３へ搬送した後の搬送後ガス２２は、搬送後ガス戻りライン１２によりブロワー１Ｂへ戻る。
【００４２】
以上のように、搬送ガス供給部１と微粉処理部３との間で搬送ガスを循環させている。
【００４３】
投入微粉３１はすべてが微粉処理部３に搬送されるわけではなく、微量であるが一部が搬送されずに残留し残留微粉３３となる。よって、搬送後ガス２２は残留微粉３３を含んでいる。
【００４４】
この残留微粉３３を捕集して微粉処理部３へ搬送させるために、搬送後ガス戻りライン１２に、微粉捕集バッグ１０３Ａを中心に構成される微粉捕集用バッグフィルター１０１が設けられている。
【００４５】
微粉捕集用バッグフィルター１０１の構成及び作用を説明する。
【００４６】
微粉捕集用バッグフィルター１０１は、搬送後ガス導入部１０２、残留微粉捕集部１０３、残留微粉捕集後ガス収容部１０４、残留微粉捕集後ガス排気部１０５、捕集した残留微粉除去部１０６及び除去した残留微粉排出部１０７から構成される。
【００４７】
搬送後ガス導入部１０２は搬送後ガス２２を導入する入口である。
【００４８】
残留微粉捕集部１０３は微粉捕集バッグ１０３Ａを備えた空間であり、縦方向に設置した微粉捕集バッグ１０３Ａにより残留微粉３３を捕集するものである。捕集した残留微粉３４は図１において、微粉捕集バッグ１０３Ａの外側に破線で示している。
【００４９】
残留微粉捕集後ガス収容部１０４は残留微粉３３が捕集された残留微粉捕集後ガス２３を収容する空間であり、残留微粉捕集部１０３と区切られたうえで残留微粉捕集部１０３の上に設けられている。
【００５０】
残留微粉捕集後ガス排気部１０５は残留微粉捕集後ガス２３を排気する出口である。
【００５１】
捕集した残留微粉除去部１０６は、微粉捕集バッグ１０３Ａから捕集した残留微粉３４を除去するものであり、具体的にはパルスジェットノズル１０６Ｄにより微粉捕集バッグ１０３Ａにパルスジェット（衝撃）を与えることで行う。
【００５２】
パルスジェットノズル１０６Ｄを動作させるために、圧気室１０６Ａ、電磁弁１０６Ｂ及び圧気配管１０６Ｃが設けられている。
【００５３】
捕集した残留微粉３４を、除去した残留微粉３５として微粉捕集用バッグフィルター１０１の底部に沈降させるために、パルスジェットノズル１０６Ｄは微粉捕集バッグ１０３Ａの上に設けられている。パルスジェットノズル１０６Ｄは、上から微粉捕集バッグ１０３Ａに向けてパルスジェットを発する。
【００５４】
除去した残留微粉排出部１０７は、除去した残留微粉３５を収容して排出するものである。前述のように、除去した残留微粉３５は搬送ガス供給ライン中流１１Ｂとの合流点まで、合流点までのライン（符号なし）により搬送され、搬送ガス２１により微粉処理部３へ搬送される。
【００５５】
搬送後ガス戻りライン１２は微粉捕集用バッグフィルター１０１が設けられていることにより、微粉処理部３から搬送後ガス導入部１０２までの搬送後ガス戻りライン上流１２Ａと、残留微粉捕集後ガス排気部１０５からブロワー１Ｂまでの搬送後ガス戻りライン下流１２Ｂから構成される。
【００５６】
残留微粉３３を含んだ搬送後ガス２２は微粉捕集用バッグフィルター１０１を経由することで、残留微粉３３を含まない残留微粉捕集後ガス２３となりブロワー１Ｂへ戻る。
【００５７】
図９は比較例における微粉捕集用バッグフィルターの平面図である。
【００５８】
微粉捕集用バッグフィルター１０１を構成する、搬送後ガス導入部１０２、残留微粉捕集部１０３、微粉捕集バッグ１０３Ａ、残留微粉捕集後ガス収容部１０４、残留微粉捕集後ガス排気部１０５、捕集した残留微粉除去部１０６及び除去した残留微粉排出部１０７の位置関係を上からみた場合で示している。
【００５９】
捕集した残留微粉３４は前述のように、パルスジェットノズル１０６Ｄにより微粉捕集バッグ１０３Ａから除去されて、除去した残留微粉３５として、除去した残留微粉排出部１０７に沈降する。
【００６０】
しかし沈降せずに残留微粉捕集部１０３に浮遊し、微粉捕集バッグ１０３Ａに再付着することがある。再付着した微粉を除去せずにおくと微粉捕集バッグ１０３Ａは目詰まりを起こす。この状態で投入微粉３１を微粉処理部３へ搬送し続けていると、搬送ガス２１の供給源であるブロワー１Ｂは徐々に吐出圧力が高くなると共に発熱し、動力アップを起こしてトリップする。これは背景技術の段落番号０００５にて前述している。
【００６１】
このトリップを防ぐことを目的として図８に示すように、搬送後ガス２２に含まれる残留微粉３３を少なくするために、搬送ガス供給ライン１１（搬送ガス供給ライン下流１１Ｃ）と微粉処理部３との間に、遠心力を効かせたサイクロン４を１または２段設けることもある。しかし、サイクロンで捕集できる残留微粉にも限界がある。これも背景技術の段落番号０００８にて前述している。
【００６２】
次に、本発明の請求項１に係る微粉捕集用バッグフィルターを図１及び２を用いて説明する。
【００６３】
図１は本発明の請求項１に係る微粉捕集用バッグフィルターの断面図を含む微粉搬送の系統図である。
【００６４】
図１に示すように、微粉捕集用バッグフィルター１０１は、残留微粉捕集後ガス収容部１０４の上から下に向かう方向、すわなち縦方向に残留微粉捕集後ガス収容部仕切り１０４Ａを設けている。これにより、残留微粉捕集後ガス収容部１０４を分割することができる。
【００６５】
かつ、分割された残留微粉捕集後ガス収容部１０４毎に、残留微粉捕集後ガス２３を排気する出口である残留微粉捕集後ガス排気部１０５を設ける。この残留微粉捕集後ガス排気部１０５は、比較例における残留微粉捕集後ガス排気部１０５に排気弁１０５Ａを追加している。
【００６６】
これにより排気弁１０５Ａの開閉を行うことで、分割された残留微粉捕集後ガス収容部１０４毎に、搬送後ガス戻りライン下流１２Ｂへの残留微粉捕集後ガス２３の排気をする／しないを決定できる。
【００６７】
閉じていない排気弁１０５Ａが設けられている残留微粉捕集後ガス収容部１０４の下にある微粉捕集バッグ１０３Ａは、搬送後ガス２２の流れがあるため残留微粉３３を捕集する。
【００６８】
一方、排気弁１０５Ａを閉じることで、閉じた排気弁１０５Ａが設けられている残留微粉捕集後ガス収容部１０４を残留微粉捕集後ガス２３の流れがなく、かつ、その下の微粉捕集バッグ１０３Ａ周辺も搬送後ガス２２の流れがない状態にできる。
【００６９】
よって、閉じた排気弁１０５Ａが設けられている残留微粉捕集後ガス収容部１０４の下にある微粉捕集バッグ１０３Ａは、搬送後ガス２２の流れがないため捕集した残留微粉３４をパルスジェットノズル１０６Ｄにより除去できる。
【００７０】
以上から、排気弁１０５Ａを閉じる残留微粉捕集後ガス収容部１０４を順次変更することで、ブロワー１Ｂをトリップさせずに捕集した残留微粉３４を除去し、微粉捕集用バッグフィルター１０１の連続運転が可能になる。
【００７１】
図２は本発明の請求項１に係る微粉捕集用バッグフィルターの平面図である。
【００７２】
微粉捕集用バッグフィルター１０１を構成する、搬送後ガス導入部１０２、残留微粉捕集部１０３、微粉捕集バッグ１０３Ａ、残留微粉捕集後ガス収容部１０４、残留微粉捕集後ガス収容部仕切り１０４Ａ、残留微粉捕集後ガス排気部１０５、排気弁１０５Ａ、捕集した残留微粉除去部１０６及び除去した残留微粉排出部１０７の位置関係を上からみた場合で示している。
【００７３】
残留微粉捕集後ガス収容部仕切り１０４Ａを設けることで、残留微粉捕集後ガス収容部１０４を４つに分割している。分割した残留微粉捕集後ガス収容部１０４はそれぞれ、排気弁１０５Ａを有した残留微粉捕集後ガス排気部１０５を設けている。すべての残留微粉捕集後ガス排気部１０５は１つに集約されて、搬送後ガス戻りライン下流１２Ｂを構成している。
【００７４】
残留微粉捕集後ガス収容部仕切り１０４Ａを設ける数はいくつでもかまわない。
【００７５】
また、残留微粉捕集後ガス収容部１０４の分割は、分割されたそれぞれの下の微粉捕集バッグ１０３Ａの数が同じとなるようにしてもよいし、異なるようにしてもかまわない。
【００７６】
図２は、残留微粉捕集後ガス収容部１０４を４つに分割した状態を示している。
【００７７】
以上から、排気弁１０５Ａを閉じる残留微粉捕集後ガス収容部１０４を順次変更することで、ブロワー１Ｂをトリップさせずに捕集した残留微粉３４を除去し、微粉捕集用バッグフィルター１０１の連続運転が可能になる。
【００７８】
次に、本発明の請求項２に係る微粉捕集用バッグフィルターを図３及び４を用いて説明する。
【００７９】
図３は本発明の請求項２に係る微粉捕集用バッグフィルターの断面図である。
【００８０】
図３に示す微粉捕集用バッグフィルター１０１は、図１に示す請求項１に係る微粉捕集用バッグフィルター１０１に残留微粉捕集部仕切り１０３Ｂを追加している。
【００８１】
残留微粉捕集部仕切り１０３Ｂは、残留微粉捕集部１０３の上から下に向かう方向、すなわち縦方向に残留微粉捕集後ガス収容部仕切り１０４Ａを延長するように設けている。
【００８２】
残留微粉捕集部仕切り１０３Ｂは少なくとも微粉捕集バッグ１０３Ａの底部の高さまで、好ましくは図３に示すように微粉捕集バッグ１０３Ａの底部より下の高さまで延長する。
【００８３】
図４は本発明の請求項２に係る微粉捕集用バッグフィルターの平面図である。
【００８４】
微粉捕集用バッグフィルター１０１を構成する、搬送後ガス導入部１０２、残留微粉捕集部１０３、微粉捕集バッグ１０３Ａ、残留微粉捕集部仕切り１０３Ｂ、残留微粉捕集後ガス収容部１０４、残留微粉捕集後ガス収容部仕切り１０４Ａ、残留微粉捕集後ガス排気部１０５、排気弁１０５Ａ、捕集した残留微粉除去部１０６及び除去した残留微粉排出部１０７の位置関係を上からみた場合で示している。
【００８５】
前述のように残留微粉捕集部仕切り１０３Ｂは、残留微粉捕集後ガス収容部仕切り１０４Ａを延長したものであるため、これらは図４において同一破線で示されている。
【００８６】
図４は、残留微粉捕集後ガス収容部仕切り１０４Ａ及び残留微粉捕集部仕切り１０３Ｂにより、残留微粉捕集後ガス収容部１０４及び残留微粉捕集部１０３を４つに分割した状態を示している。
【００８７】
残留微粉捕集後ガス収容部仕切り１０４Ａの意味を図１〜４を用いて説明する。
【００８８】
請求項１に係る微粉捕集用バッグフィルター１０１の分割した残留微粉捕集後ガス収容部１０４のうち、１エリア（例えば図１の残留微粉捕集後ガス収容部１０４の左半分、図２の残留微粉捕集後ガス収容部１０４の左下）に接続された排気弁１０５Ａを閉じた場合、前述のように、残留微粉捕集後ガス収容部１０４を残留微粉捕集後ガス２３の流れがなく、かつ、その下の微粉捕集バッグ１０３Ａ周辺も搬送後ガス２２の流れがない状態にできる。よって捕集した残留微粉３４をパルスジェットノズル１０６Ｄにより除去し、除去した残留微粉３５は除去した残留微粉排出部１０７に沈降する。
【００８９】
しかし、排気弁１０５Ａを閉じていない他の残留微粉捕集後ガス収容部１０４（例えば図１の残留微粉捕集後ガス収容部１０４の右半分、図２の残留微粉捕集後ガス収容部１０４の右下）の下にある微粉捕集バッグ１０３Ａは、搬送後ガス２２の流れがある。そのため除去した残留微粉３５は、排気弁１０５Ａを閉じていない残留微粉捕集後ガス収容部１０４の下にある微粉捕集バッグ１０３Ａに、浮遊して微量ながら付着することがある。
【００９０】
これに対し、請求項２に係る微粉捕集用バッグフィルターは図３及び４に示すように、残留微粉捕集部１０３の上から下に向かう方向すなわち縦方向に、残留微粉捕集後ガス収容部仕切り１０４Ａを延長するように、少なくとも微粉捕集バッグ１０３Ａの底部の高さまで残留微粉捕集部仕切り１０３Ｂが設けられている。
【００９１】
分割した残留微粉捕集後ガス収容部１０４のうち、１エリア（例えば図３の残留微粉捕集後ガス収容部１０４の左半分、図４の残留微粉捕集後ガス収容部１０４の左下）に接続された排気弁１０５Ａを閉じた場合、排気弁１０５Ａを閉じていない他の残留微粉捕集後ガス収容部１０４（例えば図３の残留微粉捕集後ガス収容部１０４の右半分、図４の残留微粉捕集後ガス収容部１０４の右下）の下にある微粉捕集バッグ１０３Ａは搬送後ガス２２の流れがある。
【００９２】
しかし、少なくとも微粉捕集バッグ１０３Ａの底部の高さまで残留微粉捕集部仕切り１０３Ｂが設けられているため、除去した残留微粉３５が排気弁１０５Ａを閉じていない残留微粉捕集後ガス収容部１０４の下にある微粉捕集バッグ１０３Ａに付着することはない。
【００９３】
以上から、請求項１に係る微粉捕集用バッグフィルターよりも、ブロワー１Ｂをトリップさせずに連続運転が可能になる。
【００９４】
最後に、本発明の請求項３に係る微粉捕集用バッグフィルターを図５〜７を用いて説明する。
【００９５】
図５は本発明の請求項３に係る微粉捕集用バッグフィルターの断面図である。
【００９６】
図５に示す微粉捕集用バッグフィルター１０１は、図１に示す請求項１に係る微粉捕集用バッグフィルター１０１において、排気弁１０５Ａを自動制御排気弁１０５Ｂとしている。
【００９７】
図６は本発明の請求項３に係る微粉捕集用バッグフィルターの別の実施形態の断面図である。
【００９８】
図６に示す微粉捕集用バッグフィルター１０１は、図３に示す請求項２に係る微粉捕集用バッグフィルター１０１において、排気弁１０５Ａを自動制御排気弁１０５Ｂとしている。
【００９９】
図７は本発明の請求項３に係る微粉捕集用バッグフィルターの平面図である。
【０１００】
微粉捕集用バッグフィルター１０１を構成する、搬送後ガス導入部１０２、残留微粉捕集部１０３、微粉捕集バッグ１０３Ａ、残留微粉捕集部仕切り１０３Ｂ、残留微粉捕集後ガス収容部１０４、残留微粉捕集後ガス収容部仕切り１０４Ａ、残留微粉捕集後ガス排気部１０５、自動制御排気弁１０５Ｂ、捕集した残留微粉除去部１０６及び除去した残留微粉排出部１０７の位置関係を上からみた場合で示している。
【０１０１】
請求項３に係る微粉捕集用バッグフィルター１０１は、排気弁１０５Ａを自動制御排気弁１０５Ｂとし、捕集した残留微粉３４の除去時間を設定できるようにしている。
【０１０２】
自動制御排気弁１０５Ｂは電磁弁が好ましいが、エアオペバルブであってもよい。
【０１０３】
捕集した残留微粉３４の除去時間の設定は、図５及び６には記載していない制御装置により行う。
【０１０４】
これにより、残留微粉捕集後ガス収容部１０４または残留微粉捕集部１０３毎に、微粉捕集バッグ１０３Ａの本数や捕集した残留微粉３４の量等に応じて、捕集した残留微粉３４の除去時間を設定できる。かつ、捕集した残留微粉３４の除去を確実に行うために除去時間を長めに設定したり、微粉捕集用バッグフィルター１０１の稼働率を上げるために除去時間を短めに設定することもできる。
【０１０５】
制御装置に自動制御排気弁１０５Ｂの開閉機能を設けることで、前述の捕集した残留微粉３４の除去時間に応じて自動制御排気弁１０５Ｂを開閉することができる。
【０１０６】
制御装置はシーケンサーが好ましいが、リレー、タイマー及びスイッチ等から構成される制御盤であってもよい。
【０１０７】
以上から、請求項１または２に係る微粉捕集用バッグフィルターよりも、よりブロワー１Ｂをトリップさせない連続運転及び稼働率を向上させた連続運転が可能になる。
【符号の説明】
【０１０８】
１  搬送ガス供給部
１Ａ  搬送ガス供給口
１Ｂ  ブロワー
２  微粉投入部
３  微粉処理部
４  サイクロン
１１  搬送ガス供給ライン
１１Ａ  搬送ガス供給ライン上流
１１Ｂ  搬送ガス供給ライン中流
１１Ｃ  搬送ガス供給ライン下流
１２  搬送後ガス戻りライン
１２Ａ  搬送後ガス戻りライン上流
１２Ｂ  搬送後ガス戻りライン下流
２１  搬送ガス
２２  搬送後ガス
２３  残留微粉捕集後ガス
３１  投入微粉
３２  処理微粉
３３  残留微粉
３４  捕集した残留微粉
３５  除去した残留微粉
１０１  微粉捕集用バッグフィルター
１０２  搬送後ガス導入部
１０３  残留微粉捕集部
１０３Ａ  微粉捕集バッグ
１０３Ｂ  残留微粉捕集部仕切り
１０４  残留微粉捕集後ガス収容部
１０４Ａ  残留微粉捕集後ガス収容部仕切り
１０５  残留微粉捕集後ガス排気部
１０５Ａ  排気弁
１０５Ｂ  自動制御排気弁
１０６  捕集した残留微粉除去部
１０６Ａ  圧気室
１０６Ｂ  電磁弁
１０６Ｃ  圧気配管
１０６Ｄ  パルスジェットノズル
１０７  除去した残留微粉排出部
【図１】
2015093233.tif 000003
【図２】
2015093233.tif 000004
【図３】
2015093233.tif 000005
【図４】
2015093233.tif 000006
【図５】
2015093233.tif 000007
【図６】
2015093233.tif 000008
【図７】
2015093233.tif 000009
【図８】
2015093233.tif 000010
【図９】
2015093233.tif 000011
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
搬送ガスの供給源を有した搬送ガス供給部と搬送ガス供給ラインと微粉処理部と搬送後ガス戻りラインの間で搬送ガスを循環させ、搬送ガス供給ラインと微粉処理部との間に遠心力を効かせたサイクロンを設け、後記除去した残留微粉の排出部からのラインを搬送ガス供給ラインに合流させる微粉処理部への微粉搬送で、搬送後ガスから残留微粉を捕集するために、搬送後ガス導入部と、微粉捕集バッグを有する残留微粉捕集部と、残留微粉捕集後ガス収容部と、残留微粉捕集後ガス排気部と、搬送ガスの供給源とは別に圧気室を設けて捕集した残留微粉を除去する捕集した残留微粉の除去部と、除去した残留微粉の排出部からなる微粉捕集用バッグフィルターにおいて、
残留微粉捕集後ガス収容部に縦方向の仕切りを設けて残留微粉捕集後ガス収容部を分割し、分割した残留微粉捕集後ガス収容部毎に、排気弁を有する前記残留微粉捕集後ガス排気部を設け、排気弁を閉じる残留微粉捕集後ガス収容部を順次変更することで搬送ガスの供給源をトリップさせずに捕集した残留微粉を除去し連続運転を可能にすることを特徴とする、微粉捕集用バッグフィルター。
【手続補正２】
【補正対象書類名】明細書
【補正対象項目名】００３８
【補正方法】変更
【補正の内容】
【００３８】
搬送ガス供給ライン中流１１Ｂは、微粉投入部２から、後述の微粉捕集用バッグフィルター１０１を構成する除去した残留微粉の排出部１０７からのライン（符号なし）との合流点までのラインである。
【手続補正３】
【補正対象書類名】明細書
【補正対象項目名】００４６
【補正方法】変更
【補正の内容】
【００４６】
微粉捕集用バッグフィルター１０１は、搬送後ガス導入部１０２、残留微粉捕集部１０３、残留微粉捕集後ガス収容部１０４、残留微粉捕集後ガス排気部１０５、捕集した残留微粉の除去部１０６及び除去した残留微粉の排出部１０７から構成される。
【手続補正４】
【補正対象書類名】明細書
【補正対象項目名】００４８
【補正方法】変更
【補正の内容】
【００４８】
残留微粉捕集部１０３は微粉捕集バッグ１０３Ａを備えた空間であり、縦方向に設置した微粉捕集バッグ１０３Ａにより残留微粉３３を捕集するものである。捕集した残留微粉３４は図８において、微粉捕集バッグ１０３Ａの外側に破線で示している。
【手続補正５】
【補正対象書類名】明細書
【補正対象項目名】００５１
【補正方法】変更
【補正の内容】
【００５１】
捕集した残留微粉の除去部１０６は、微粉捕集バッグ１０３Ａから捕集した残留微粉３４を除去するものであり、具体的にはパルスジェットノズル１０６Ｄにより微粉捕集バッグ１０３Ａにパルスジェット（衝撃）を与えることで行う。
【手続補正６】
【補正対象書類名】明細書
【補正対象項目名】００５４
【補正方法】変更
【補正の内容】
【００５４】
除去した残留微粉の排出部１０７は、除去した残留微粉３５を収容して排出するものである。前述のように、除去した残留微粉３５は搬送ガス供給ライン中流１１Ｂとの合流点まで、合流点までのライン（符号なし）により搬送され、搬送ガス２１により微粉処理部３へ搬送される。
【手続補正７】
【補正対象書類名】明細書
【補正対象項目名】００５８
【補正方法】変更
【補正の内容】
【００５８】
微粉捕集用バッグフィルター１０１を構成する、搬送後ガス導入部１０２、残留微粉捕集部１０３、微粉捕集バッグ１０３Ａ、残留微粉捕集後ガス収容部１０４、残留微粉捕集後ガス排気部１０５、捕集した残留微粉の除去部１０６及び除去した残留微粉の排出部１０７の位置関係を上からみた場合で示している。
【手続補正８】
【補正対象書類名】明細書
【補正対象項目名】００５９
【補正方法】変更
【補正の内容】
【００５９】
捕集した残留微粉３４は前述のように、パルスジェットノズル１０６Ｄにより微粉捕集バッグ１０３Ａから除去されて、除去した残留微粉３５として、除去した残留微粉の排出部１０７に沈降する。
【手続補正９】
【補正対象書類名】明細書
【補正対象項目名】００６４
【補正方法】変更
【補正の内容】
【００６４】
図１に示すように、微粉捕集用バッグフィルター１０１は、残留微粉捕集後ガス収容部１０４の上から下に向かう方向、すなわち縦方向に残留微粉捕集後ガス収容部仕切り１０４Ａを設けている。これにより、残留微粉捕集後ガス収容部１０４を分割することができる。
【手続補正１０】
【補正対象書類名】明細書
【補正対象項目名】００６５
【補正方法】変更
【補正の内容】
【００６５】
かつ、分割された残留微粉捕集後ガス収容部１０４毎に、残留微粉捕集後ガス２３を排気する出口である排気弁付き残留微粉捕集後ガス排気部１０５Ｃを設ける。この排気弁付き残留微粉捕集後ガス排気部１０５Ｃは、比較例における残留微粉捕集後ガス排気部１０５に排気弁１０５Ａを追加している。
【手続補正１１】
【補正対象書類名】明細書
【補正対象項目名】００７２
【補正方法】変更
【補正の内容】
【００７２】
微粉捕集用バッグフィルター１０１を構成する、搬送後ガス導入部１０２、残留微粉捕集部１０３、微粉捕集バッグ１０３Ａ、残留微粉捕集後ガス収容部１０４、残留微粉捕集後ガス収容部仕切り１０４Ａ、排気弁付き残留微粉捕集後ガス排気部１０５Ｃ、排気弁１０５Ａ、捕集した残留微粉の除去部１０６及び除去した残留微粉の排出部１０７の位置関係を上からみた場合で示している。
【手続補正１２】
【補正対象書類名】明細書
【補正対象項目名】００７３
【補正方法】変更
【補正の内容】
【００７３】
残留微粉捕集後ガス収容部仕切り１０４Ａを設けることで、残留微粉捕集後ガス収容部１０４を４つに分割している。分割した残留微粉捕集後ガス収容部１０４はそれぞれ、排気弁１０５Ａを有した排気弁付き残留微粉捕集後ガス排気部１０５Ｃを設けている。すべての排気弁付き残留微粉捕集後ガス排気部１０５Ｃは１つに集約されて、搬送後ガス戻りライン下流１２Ｂを構成している。
【手続補正１３】
【補正対象書類名】明細書
【補正対象項目名】００８０
【補正方法】変更
【補正の内容】
【００８０】
図３に示す残留微粉捕集部仕切り付き微粉捕集用バッグフィルター１０１Ａは、図１に示す請求項１に係る微粉捕集用バッグフィルター１０１に残留微粉捕集部仕切り１０３Ｂを追加している。
【手続補正１４】
【補正対象書類名】明細書
【補正対象項目名】００８４
【補正方法】変更
【補正の内容】
【００８４】
残留微粉捕集部仕切り付き微粉捕集用バッグフィルター１０１Ａを構成する、搬送後ガス導入部１０２、残留微粉捕集部１０３、微粉捕集バッグ１０３Ａ、残留微粉捕集部仕切り１０３Ｂ、残留微粉捕集後ガス収容部１０４、残留微粉捕集後ガス収容部仕切り１０４Ａ、排気弁付き残留微粉捕集後ガス排気部１０５Ｃ、排気弁１０５Ａ、捕集した残留微粉の除去部１０６及び除去した残留微粉の排出部１０７の位置関係を上からみた場合で示している。
【手続補正１５】
【補正対象書類名】明細書
【補正対象項目名】００８８
【補正方法】変更
【補正の内容】
【００８８】
請求項１に係る微粉捕集用バッグフィルター１０１の分割した残留微粉捕集後ガス収容部１０４のうち、１エリア（例えば図１の残留微粉捕集後ガス収容部１０４の左半分、図２の残留微粉捕集後ガス収容部１０４の左下）に接続された排気弁１０５Ａを閉じた場合、前述のように、残留微粉捕集後ガス収容部１０４を残留微粉捕集後ガス２３の流れがなく、かつ、その下の微粉捕集バッグ１０３Ａ周辺も搬送後ガス２２の流れがない状態にできる。よって捕集した残留微粉３４をパルスジェットノズル１０６Ｄにより除去し、除去した残留微粉３５は除去した残留微粉の排出部１０７に沈降する。
【手続補正１６】
【補正対象書類名】明細書
【補正対象項目名】００９８
【補正方法】変更
【補正の内容】
【００９８】
図６に示す残留微粉捕集部仕切り付き微粉捕集用バッグフィルター１０１Ａは、図３に示す請求項２に係る残留微粉捕集部仕切り付き微粉捕集用バッグフィルター１０１Ａにおいて、排気弁１０５Ａを自動制御排気弁１０５Ｂとしている。
【手続補正１７】
【補正対象書類名】明細書
【補正対象項目名】０１００
【補正方法】変更
【補正の内容】
【０１００】
微粉捕集用バッグフィルター１０１を構成する、搬送後ガス導入部１０２、残留微粉捕集部１０３、微粉捕集バッグ１０３Ａ、残留微粉捕集部仕切り１０３Ｂ、残留微粉捕集後ガス収容部１０４、残留微粉捕集後ガス収容部仕切り１０４Ａ、排気弁付き残留微粉捕集後ガス排気部１０５Ｃ、自動制御排気弁１０５Ｂ、捕集した残留微粉の除去部１０６及び除去した残留微粉の排出部１０７の位置関係を上からみた場合で示している。
【手続補正１８】
【補正対象書類名】明細書
【補正対象項目名】０１０８
【補正方法】変更
【補正の内容】
【０１０８】
１  搬送ガス供給部
１Ａ  搬送ガス供給口
１Ｂ  ブロワー
２  微粉投入部
３  微粉処理部
４  サイクロン
１１  搬送ガス供給ライン
１１Ａ  搬送ガス供給ライン上流
１１Ｂ  搬送ガス供給ライン中流
１１Ｃ  搬送ガス供給ライン下流
１２  搬送後ガス戻りライン
１２Ａ  搬送後ガス戻りライン上流
１２Ｂ  搬送後ガス戻りライン下流
２１  搬送ガス
２２  搬送後ガス
２３  残留微粉捕集後ガス
３１  投入微粉
３２  処理微粉
３３  残留微粉
３４  捕集した残留微粉
３５  除去した残留微粉
１０１  微粉捕集用バッグフィルター
１０１Ａ 残留微粉捕集部仕切り付き微粉捕集用バッグフィルター
１０２  搬送後ガス導入部
１０３  残留微粉捕集部
１０３Ａ  微粉捕集バッグ
１０３Ｂ  残留微粉捕集部仕切り
１０４  残留微粉捕集後ガス収容部
１０４Ａ  残留微粉捕集後ガス収容部仕切り
１０５  残留微粉捕集後ガス排気部
１０５Ａ  排気弁
１０５Ｂ  自動制御排気弁
１０５Ｃ 排気弁付き残留微粉捕集後ガス排気部
１０６  捕集した残留微粉の除去部
１０６Ａ  圧気室
１０６Ｂ  電磁弁
１０６Ｃ  圧気配管
１０６Ｄ  パルスジェットノズル
１０７  除去した残留微粉の排出部
【手続補正１９】
【補正対象書類名】図面
【補正対象項目名】全図
【補正方法】変更
【補正の内容】
【図１】
2015093233.tif 000012
【図２】
2015093233.tif 000013
【図３】
2015093233.tif 000014
【図４】
2015093233.tif 000015
【図５】
2015093233.tif 000016
【図６】
2015093233.tif 000017
【図７】
2015093233.tif 000018
【図８】
2015093233.tif 000019
【図９】
2015093233.tif 000020